(57)【要約】【課題】  検体液の物理情報を精度良く測定する。【解決手段】  検体液の物理情報を計測するための検体液の計測装置であって、検体液２０に接触する傾斜面を持つ透光性の光学部分を有し、検体液２０を溜めるための容器１０と、容器１０の底部に設けられ、検体液２０からの光を検出する光センサ３０と、光センサ３０の検出信号に基づいて検体液２０中に含まれる特定物質の濃度、又は検体液２０の液面高さ若しくは液量を測定する測定部７０と、を備えている。【選択図】      図１
2018048994.tif 000002
【特許請求の範囲】
【請求項１】
検体液に接触する傾斜面を持つ透光性の光学部分を有し、前記検体液を溜めるための容器と、
前記容器の底部に設けられ、前記検体液からの光を検出する光センサと、
前記光センサの検出信号に基づいて前記検体液中に含まれる特定物質の濃度、又は前記検体液の液面高さ若しくは液量を測定する測定部と、
を具備したことを特徴とする検体液の計測装置。
【請求項２】
前記容器の上方に設けられ、前記容器内の前記検体液に光を照射する光源を、更に有することを特徴とする、請求項１記載の検体液の計測装置。
【請求項３】
前記光学部材は、内周面に上側に広がった前記傾斜面を有するリング形状であることを特徴とする、請求項１又は２に記載の検体液の計測装置。
【請求項４】
前記光センサは、前記検体液からの蛍光を検出することを特徴とする、請求項１乃至３の何れかに記載の検体液の計測装置。
【請求項５】
前記測定部は、前記光センサの検出信号の強度から前記検体液中に含まれる特定物質の濃度を算出する、又は前記光センサの検出信号のプロファイルから前記検体液の液面高さ若しくは液量を求めることを特徴とする、請求項１乃至４の何れかに記載の検体液の計測装置。
【請求項６】
前記測定部は、前記光センサの検出信号のプロファイルから前記検体液の液面高さを求め、前記光センサの検出信号強度と前記検体液の液面高さ又は液量との関係から、前記検体液中に含まれる特定物質の濃度を測定することを特徴とする、請求項１乃至４の何れかに記載の検体液の計測装置。
【請求項７】
検体液を溜めるための容器と、
前記容器内の側部に設けられ、屈折率が前記検体液とは異なる透光性材料からなり、前記容器の底面と成す角度が９０度よりも小さく、前記検体液に接触する傾斜面を有する光学部材と、
前記容器内に光を照射する光源と、
前記容器の底部に設けられ、前記検体液からの光を検出する光センサと、
前記光センサの検出信号に基づいて前記検体液の液面高さを測定する測定部と、
を具備したことを特徴とする検体液の計測装置。
【請求項８】
検体液を溜めるための容器と、
前記容器の底部として設けられ、前記検体液と接触する面が撥水性であり、且つ前記撥水性の面の中に１個若しくは複数個の凸部又は親水部を有する透光性の光学部材と、
前記容器の底部の前記検体液に接する面と所定距離離して設けられ、前記検体液からの光を検出する光センサと、
前記光センサの検出信号に基づいて、前記凸部又は親水部に局在化する前記検体液の体積を測定する測定部と、
を具備したことを特徴とする検体液の計測装置。
【請求項９】
容器内の検体液に光を照射し、
前記検体液の界面で屈折した光を前記容器の下方で光センサにより検出し、
前記光センサの検出信号から前記検体液の液面高さ、液量、又は前記検体液中に含まれる特定物質の濃度を測定することを特徴とする検体液の計測方法。
【発明の詳細な説明】
【技術分野】
【０００１】
本発明の実施形態は、検体液の物理情報を計測するための検体液の計測装置及び計測方法に関する。
【背景技術】
【０００２】
検体液中に含まれる特定物質を検査するために、特定物質からの蛍光を検出する手法が知られている。この手法では、ｐｐｍからｐｐｂオーダで含まれる微量物質の場合、光量が微弱で検出が困難となる場合がある。また、検体液の検査においては、検査容器内の液量（液面高さ）を測定したい場合がある。しかし、検査容器内へ微量（１ｍＬ以下）の液体を滴下する場合など、滴下液量のばらつきや溶媒の蒸発等により、液量を精度良く測定することは困難であった。
【先行技術文献】
【特許文献】
【０００３】
【特許文献１】特開２００２−３１０９１２号公報
【特許文献２】特開２００９−２８７９９９号公報
【発明の概要】
【発明が解決しようとする課題】
【０００４】
発明が解決しようとする課題は、検体液の物理情報を精度良く計測するための検体液の計測装置及び計測方法を提供することである。
【課題を解決するための手段】
【０００５】
実施形態の検体液の計測装置は、検体液に接触する傾斜面を持つ透光性の光学部分を有し、前記検体液を溜めるための容器と、前記容器の底部に設けられ、前記検体液からの光を検出する光センサと、前記光センサの検出信号に基づいて前記検体液中に含まれる特定物質の濃度、又は前記検体液の液面高さ若しくは液量を測定する測定部と、を具備している。
【図面の簡単な説明】
【０００６】
【図１】第１の実施形態に係わる検体液の計測装置を示す概略構成図である。
【図２】検体液の液面高さの違いによるセンサ側への光の滲み出しの様子を示す模式図である。
【図３】光センサの画素の位置と検出信号強度との関係を示す特性図である。
【図４】光センサの画素の位置と検出信号強度の変化との関係を示す特性図である。
【図５】検出信号強度と検体液の濃度との関係を示す特性図である。
【図６】液面高さと光の広がり幅との関係を示す特性図である。
【図７】液面高さと検出信号強度との関係を示す特性図である。
【図８】第１の実施形態の計測装置を用いた計測方法を説明するためのフローチャートである。
【図９】第２の実施形態に係わる検体液の計測装置を示す概略構成図である。
【図１０】第３の実施形態に係わる検体液の計測装置を示す概略構成図である。
【図１１】第３の実施形態における入射光の屈折の様子を示す模式図である。
【図１２】光センサで得られるイメージ像及び階調値を示す図である。
【図１３】光の入射角度θとｄ／ｈとの関係を示す特性図である。
【図１４】第４の実施形態に係わる検体液の計測装置を示す概略構成図である。
【図１５】第５の実施形態に係わる検体液の計測装置を示す概略構成図である。
【図１６】光学部材の傾斜角θ0 と、光の屈折角θ，ｄ／ｈ，及び反射角θとの関係を示す特性図である。
【図１７】第６の実施形態に係わる検体液の計測装置の要部構成を示す断面図である。
【図１８】励起光及び蛍光のスペクトルとフィルタの透過率との関係を示す特性の概略図である。
【図１９】第６の実施形態の計測装置を用いた計測方法を説明するためのフローチャートである。
【図２０】第７の実施形態に係わる検体液の計測装置を示す概略構成図である。
【図２１】底壁部の表面に微細な凸部又は親水部を設けた例を示す斜視図である。
【図２２】底壁部の表面に周期的凹凸による撥水面を設けた例を示す斜視図である。
【図２３】周期的凹凸の一部にピニングパターンを設けた例を示す断面図である。
【図２４】液滴の界面で光が屈折する様子を示す模式図である。
【図２５】センサ面における光の明るさを示す模式図である。
【図２６】液滴の体積とセンサ面における明るさとの関係を示す模式図である。
【図２７】第６の実施形態の計測装置の製造工程を示す断面図である。
【発明を実施するための形態】
【０００７】
以下、実施形態の検体液の計測装置を、図面を参照して説明する。
【０００８】
（第１の実施形態）
図１は、第１の実施形態に係わる検体液の計測装置を示す概略構成図である。この装置は、検体液中の特定物質の濃度を測定するものである。
【０００９】
図中の１０は、基板１１及び側壁１２を有し、検体液２０を溜めるための検査容器である。この容器１０は、例えばガラスや樹脂等の透明材料からなり、開口部が矩形又は円形に形成されている。
【００１０】
基板１１上に、蛍光を検出するための光センサ３０が設けられている。光センサ３０は、画素を２次元的に配置した２次元の光学センサアレイであり、検体液２０からの蛍光を効率良く検出するように分光特性が調整されたものとなっている。より具体的には、光センサ３０は半導体チップとして作製されたＣＭＯＳイメージセンサ乃至はＣＣＤイメージセンサであってよい。
【００１１】
容器１０内には、検体液２０に接触するテーパ側面（傾斜面）を有する、透光性の物質からなる光学部材４１が設置されている。この光学部材４１は、例えば、直角三角形の三角柱の形状であり、互いに垂直の２つの側面が容器１０の側面及び底面に接し、残りの１つの側面が検体液２０に接するようになっている。なお、検体液２０に接する面の形状は平面には限定されず、形状が既知であれば湾曲状或いは階段状の構造を伴っていても良い。さらに、光学部材４１は、容器１０の左右にそれぞれ設置されている。これにより、容器１０の実質的な内面を、上側が広がった形状にするものとなっている。これにより、検体液２０の溶媒の蒸発が促進される。
【００１２】
なお、容器１０の開口部が円形の場合、光学部材４１は、内周面に上側に広がったテーパを有し、上側の開口を下側の開口よりも大きくしたリング状の形状であっても良い。また、側壁１２と光学部材４１は一体に形成しても良い。即ち、側壁１２を内側に傾斜面を有する構造に形成し、側壁１２に光学部材４１の機能を持たせることにより、光学部材４１を省略することも可能である。
【００１３】
容器１０の上方には、検体液２０に光を照射するための光源５１が設けられている。この光源５１は、検体液２０中の特定物質を励起して蛍光を発生させるための励起光６１を発生するものであり、検体液２０の表面全体に垂直方向から励起光６１を照射するものとなっている。また、光源５１は任意の波長光を出力する分光光源であっても良いし、特定の波長を透過する光学フィルタや光線を平行化するレンズ等の光学部品を備えていても良い。ここで、特定物質とは、励起光６１の照射により蛍光を発生する物質（いわゆる蛍光体）乃至は検出対象物質とその物質に特異的に結合する蛍光体との結合体全体、又は遺伝子工学的に導入された蛍光タンパク質である。
【００１４】
特定物質からの蛍光は、光センサ３０によって検出される。そして、光センサ３０の検出信号は測定部７０により処理される。この測定部７０は、光センサ３０の検出信号に基づいて、検体液２０中に含まれる特定物質の濃度を測定するものとなっている。具体的には測定部７０は、検出信号を記憶するメモリ、検出信号の強度と特定物質の濃度との関係を記憶するメモリ、検出信号の強度と液面高さとの関係を記憶するメモリ、更には各種メモリの記憶情報から検体液の液面高さや検体液中の特定物質の濃度を算出する算出回路等を有している。
【００１５】
容器１０内の検体液２０は、溶媒の蒸発による特定物質の濃縮（以下、蒸発濃縮）により液面高さ（液量）が減少すると共に、濃度が上昇する。光センサ３０で得られる検出信号の強度は、図２（ａ）に示すように液面高さが高い場合と、図２（ｂ）に示すように液面高さが低い場合とでは異なる。具体的には、液面高さが高い場合は信号強度は弱く、液面高さが低い場合は信号強度は強くなる。さらに、液面高さによって、光学部材４１を介して光センサ３０に届く蛍光の広がりが異なる。このため、液面高さが低い場合に比して液面高さが高い場合は、光の滲み出しが大きくなり、光センサ３０の周辺部における検出強度が強くなる。
【００１６】
なお、図２（ａ）（ｂ）中のｈは検体液２０の液面高さ、θは光学部材４１の傾斜角（例えば60度）、ｒは土手内半径（例えば0.05ｍｍ）、ｂは光センサ３０の表面に形成された中間層の厚さ（例えば0.05μｍ）である。なお、中間層は、センサ表面を検体液等から保護するための保護層であり、所望の分光特性を得るための光学フィルタ層、フォトダイオードを電気的に制御するための単層又は複数層の多層配線層からなる。
【００１７】
図３は、光センサ３０の画素の位置と検出信号強度との関係を示す特性図である。光センサ３０で得られる検出信号の強度は、中央部が高く周辺部で低いものとなり、更に液面高さが低い方が中央部の検出信号強度は大きくなる。ここで、中央部の信号強度情報は特定物質の濃度と液面高さに対応し、周辺部の傾斜は液面高さに対応する。即ち、特定物質の濃度が高くなると中央部の信号強度が大きくなる。さらに、検体液２０の液面高さによって周辺部の検出信号強度変化のプロファイルが変化する。なお、ここで云うプロファイルとは、光センサ３０の各画素の検出信号強度分布と、その時間的な変化である。
【００１８】
図４は、図３の信号強度を微分したものであり、液面高さの違いによって、信号強度の画素位置に対する微分（又は差分）の最大値と最小値との幅Ｗが異なってくる。従って、Ｗから液面高さを測定することが可能となる。即ち、光強度変化（平面方向の微分）から蛍光の広がり幅（Ｗ）を計算することにより、液面高さを測定することができる。
【００１９】
図５は、センサ中央部における規格化した検出信号強度と検体液２０の濃度との関係を示す特性図である。検体液２０中の特定物質の濃度が高くなるほど光強度が大きくなっている。また、図６は、検体液２０の液面高さと光の広がり幅との関係を示す特性図である。液面高さが高くなるほど広がり幅が大きくなっている。
【００２０】
これらの関係から、センサ中央部における規格化した検出信号強度と濃度との関係を予め既知の濃度の検体液を用いて実験的に測定しておき、そのデータをテーブル化し、測定部７０内のメモリに記憶しておけば、センサ中央部の光強度から濃度を算出することができる。さらに、液面高さと光の広がり幅との関係を予め既知の液量の検体液を用いて実験的に測定しておき、そのデータをテーブル化し、測定部７０内のメモリに記憶しておけば、広がり幅Ｗから液面高さを算出することができる。
【００２１】
なお、センサ中央部の信号強度は、検体液２０中の特定物質の濃度だけではなく、液面高さ（液量）によっても変化する。従って、信号強度と液面高さ及び濃度との関係を予め既知の濃度と液量の検体液を用いて実験的に求めておくことによって、光センサ３０の信号強度から濃度を測定することが可能となる。具体的には、液面高さ毎に図５に示すようなデータをテーブル化しておき、更に図６に示すようなデータをテーブル化しておく。そして、光センサ３０の検出信号から液面高さを求め、更に検体液２０中の特定物質の濃度を求めることができる。
【００２２】
また、前記テーブル化されたデータは、実験を行うたびに実験者が取得しても良いし、実験毎には取得せず、予め取得しテーブル化されたデータをメモリに書き込んで繰り返し用いても良い。実験を行うたびに取得する場合は、温度等の実験環境によって生じる誤差を取り除くことができる。予めメモリに書き込んでおく場合は、実験者の実験手続きを簡素化できる。
【００２３】
また、検体液２０は溶媒が蒸発することによって濃縮される。検体液２０が濃縮されると、検体液２０の液面高さが下がる。図７に示すように、検体液２０の液面高さが下がることで、光センサ３０に届く光量が増え、検出信号の強度が大きくなる。このため、高い検出感度で測定するためには、検体液２０を濃縮させた方が望ましい。但し、検体液２０が余りに濃縮されると、検出信号の強度が大幅に低下する現象（いわゆる濃度消光）が生じる場合があるため、検出信号強度が最大となる時点を測定できるように計測を所定の時間間隔で繰り返すことが望ましい。
【００２４】
次に、本実施形態の計測装置を用いた計測方法を、図８のフローチャートを参照して更に説明する。
【００２５】
まず、既知の濃度の検体液２０に対する検量線を作成する（Ｓ１）。具体的には、液面高さ（液量）毎に、図５に示すような特定物資の濃度と検出信号強度との関係を表す検量線を作成し、測定部７０内のメモリに記憶しておく。さらに、図６に示すような蛍光の広がり幅と液面高さとの関係を表す検量線を作成し、測定部７０のメモリに記憶しておく。
【００２６】
次いで、容器１０内に検体液２０を一定量だけ滴下することにより、容器１０内に検体液２０を溜める（Ｓ２）。このとき、容器１０の間口が広いことから、容器１０内に検体液２０を容易に滴下することが可能である。
【００２７】
次いで、光源５１から励起光６１を照射し、容器１０内の検体液２０に励起光６１を照射する。この励起光６１の照射により検体液２０中で発生した蛍光を、光センサ３０で検出する。そして、光センサ３０の検出信号から検体液２０の液面高さを測定する（Ｓ３）。具体的には、光センサ３０の検出信号から蛍光の広がり幅Ｗを求め、広がり幅Ｗから検体液２０の液面高さｈを算出する。
【００２８】
続いて、光センサ３０の検出信号強度情報から検体液２０の濃度を測定する（Ｓ４）。具体的には、光センサ３０の中央部における蛍光強度と液面高さに基づき、測定部７０のメモリに記憶された検量線を参照して、検体液２０の濃度を算出する。さらに、液面高さの変化から、検体液２０の蒸発濃縮前の濃度を算出する。
【００２９】
そして、検体液２０を蒸発濃縮しながら、Ｓ３，Ｓ４を一定時間毎に複数回繰り返す（Ｓ５）。この時間間隔は数１０ｍｓから数分、乃至は数時間であってよく、液面高さや濃度の算出結果から実験の途中に時間間隔に変更を加えても良い。これにより、濃縮による等価的な感度向上が期待できる。また、濃度が高すぎることで蛍光が弱まる現象（濃度消光）の前に測定を終了することができる。
【００３０】
このように本実施形態によれば、検体液を溜めるための検査容器１０内に、検体液２０に接する傾斜面を有する光学部材４１が設けられ、更に容器１０の底部に蛍光を検出する光センサ３０が設けられている。従って、容器１０内に滴下された検体液２０に励起光６１を全面照射し、検体液２０中からの蛍光を光センサ３０で２次元的に検出することにより、検体液２０の液面高さ（液量）及び検体液２０中の特定物質の濃度を高精度に測定することができる。
【００３１】
また、液面高さの測定が可能となることから、一定時間毎に液面高さの低下を測定することができ、これにより検体液２０の濃縮度の変化も測定可能となる。さらに、前記図７のように、液面高さと検出信号強度情報との関係から、検出信号強度が高い状態での検査が可能となる。即ち、高い感度で測定することが可能となる。従って、例えばｐｐｍからｐｐｂオーダで含まれる物質の検出に有効となる。
【００３２】
（第２の実施形態）
図９は、第２の実施形態に係わる検体液の計測装置を示す概略構成図である。なお、図１と同一部分には同一符号を付して、その詳しい説明は省略する。
【００３３】
第２の実施形態が第１の実施形態と異なる点は、容器１０の上方に、容器１０内に気体を導入するための第１のノズル（吸気機構）８１と、容器１０上の気体を排出するための第２のノズル（排気機構）８２とが設置されたことである。容器１０内に導入する気体としては空気でも良いし、ＣＯ2 濃度が所定の値（例えば５％）に調整された空気でも良いし、アルゴンや窒素等の不活性ガスであっても良い。
【００３４】
なお、容器１０は、密閉された暗箱（計測用チャンバ）９０に収容されていても良いし、大気中に解放されていても良い。
【００３５】
このように、第１の実施形態の構成に加えて吸気／排気機構を設けることにより、第１の実施形態と同様の効果が得られるのは勿論のこと、検体液２０の濃縮の制御や加速が可能となる。さらに、検体液２０を濃縮する際に光源５１が結露するのを未然に防止することができる利点もある。
【００３６】
（第３の実施形態）
図１０は、第３の実施形態に係わる検体液の計測装置を示す概略構成図である。なお、図１と同一部分には同一符号を付して、その詳しい説明は省略する。この装置は、検体液２０の液面高さを測定するものである。
【００３７】
容器１０内に、検体液２０とは屈折率の異なる光透過材料で形成された光学部材４２が設置されている。この光学部材４２は、図１の光学部材４１と同様に三角柱の形状を有し、互いに垂直な２つの側面が容器１０の左側の側面及び底面に接し、残りの側面が検体液２０に接するようになっている。
【００３８】
なお、光学部材４２は、容器１０の少なくとも一方の側面に設置されていればよい。光学部材４２としては、合成石英、ポリスチレン等の透明プラスチックやアクリル等の透明樹脂であることが望ましく、その屈折率が検体液２０の屈折率と大きく異なることが望ましい。検体液２０が水系の場合、屈折率は１．３〜１．４付近である。例えば、合成石英の屈折率は１．４７であり、ポリスチレンの屈折率は１．５９となっている。
【００３９】
光源５２は、励起光である必要はなく、通常の可視光を発生するものであり、ＬＥＤ等の単色光を発生するものが望ましい。この光源５２は、容器１０の開口部程度の面積で垂直方向から光６２を照射できるようになっている。ここで、入射光６２は計算モデルの容易性の点から平行光であることが望ましい。以下、入射光６２は平行光として説明する。また、光センサ３０は、蛍光センサではなく、光源５２からの光を検出できる通常の光学センサであり、２次元のアレイセンサである。
【００４０】
このような構成において、容器１０内に上方から平行光６２を全面照射すると、図１１に示すように、入射光（平行光）６２は光学部材４２で屈折する。このとき、検体液２０から光学部材４２に入射する光と、空気中から光学部材４２に入射する光とでは屈折角が異なる。即ち、空気と光学部材４２との屈折率差と、検体液２０と光学部材４２の屈折率差と、が異なることから、各々の屈折角が異なる。このため、光センサ３０の入射面において、空気中から光学部材４２へ入射した光の位置は、検体液２０から光学部材４２へ入射した光の位置に対してｄだけずれる。
【００４１】
従って、図１２（ａ）に光センサ３０で得られるイメージ像、図１２（ｂ）に検出信号の階調値を示すように、検体液２０の界面近傍で光センサ３０の検出信号は極端に小さくなる。そして、この部分が検体液２０の界面位置に相当することになる。つまり、光センサ３０の検出信号から検体液２０の液面高さを測定することが可能となる。
【００４２】
ここで、光センサ３０の表面における入射位置のずれ量をｄ、液面の高さをｈとした場合、図１３に示すように、ｄ／ｈは、入射角度θが大きくなるに伴い大きくなり、更に光学部材４２の屈折率が大きいほど大きくなる。従って、光学部材４２としてポリスチレン等の屈折率の高い材料を用いるのが望ましい。
【００４３】
このように本実施形態によれば、容器１０内に検体液２０とは屈折率の異なる光学部材４２を設置しておき、容器１０の上方から光を全面照射し、光学部材４２を透過する光を光センサ３０で検出することにより、検体液２０の液面高さを精度良く測定することができる。即ち、光の屈折を利用することによって、検体液２０の体積を精度良く測定することができる。
【００４４】
（第４の実施形態）
図１４は、第４の実施形態に係わる検体液の計測装置を示す概略構成図である。なお、図１０と同一部分には同一符号を付して、その詳しい説明は省略する。
【００４５】
第４の実施形態が第３の実施形態と異なる点は、光を全面照射する代わりに、微小スポット光６３を照射することにある。即ち、光源５３は、スポット光６３を垂直方向から容器１０内に照射できるようになっている。さらに、光源５３は、水平方向（光センサ３０のアレイ面と平行な方向）にスキャンすることが可能となっていてもよい。
【００４６】
本実施形態の場合、検体液２０と光学部材４２の屈折率差と、空気と光学部材４２の屈折率差との違いから、検体液２０から光学部材４２へ入射する光の屈折角と、空気中から光学部材４２へ入射する光の屈折角が異なる。このため、第３の実施形態と同様に、光センサ３０の入射面において、空気中から光学部材４２へ入射した光の位置は、検体液２０から光学部材４２へ入射した光の位置に対してｄだけずれる。
【００４７】
スポット光６３が検体液２０の界面よりも右側に照射される場合に光センサ３０で得られるスポット像６５は、入射スポット光６３のスポット径とほぼ同じとなる。しかし、スポット光６３が検体液２０の界面付近に照射される場合に光センサ３０で得られるスポット像６６は、入射スポット光６３のスポット径よりも左右に広がったものとなる。即ち、検体液２０の界面付近では光センサ３０による検出スポット像の形が大きく変化する。従って、光センサ３０で検出されたスポット像から、所定の液面高さになったことが判別できる。
【００４８】
さらに、光源５３によるスポット光６３を水平方向にスキャンすることにより、検体液２０の任意の液面高さを測定することが可能となる。また、設定したい液面位置にスポット光６３を照射しながら容器１０内に検体液２０を滴下し、スポット像が大きくなる位置で滴下を止めるようにすれば、検体液２０を決められた高さまで導入することが可能となる。
【００４９】
このように本実施形態によれば、容器１０内に検体液２０とは屈折率の異なる光学部材４２を設置しておき、容器１０の上方からスポット光６３を照射し、光学部材４２を透過する光を光センサ３０で検出することにより、検体液２０の液面高さを精度良く測定することができる。即ち、光の屈折を利用することによって、検体液２０の液面高さを精度良く測定することができる。
【００５０】
（第５の実施形態）
図１５は、第５の実施形態に係わる検体液の計測装置を示す概略構成図である。なお、図１０と同一部分には同一符号を付して、その詳しい説明は省略する。
【００５１】
第５の実施形態の構成は、図１０及び図１４と実質的に同じである。図１０及び図１４と異なる点は、光を容器１０の上方から照射するのではなく、水平方向から照射することである。即ち、図には示さないが、光源は容器１０の上方ではなく側方に設けられている。また、側壁には光を透過する部材（ガラスやポリスチレン等）が用いられている。なお、図中の９５は、容器１０の上方に位置する各種の構造体を示している。
【００５２】
第５の実施形態の場合も、検体液２０から光学部材４２へ入射する光の屈折角と、空気中から光学部材４２へ入射する光の屈折角が異なる。照射光としては、第３の実施形態のように全面照射でも良いし、第４の実施形態のようにスポット照射でも良い。
【００５３】
全面照射の場合、図１２に示すように、光センサ３０の検出信号の階調値から検体液２０の液面高さを算出することができる。また、スポット照射の場合、光センサ３０で得られるスポット像の形から検体液２０の液面高さを算出することができる。
【００５４】
図１６は、光学部材４２の傾斜角と屈折角、反射角、ずれ量との関係を示す特性図の一例である。横軸は光学部材４２の傾斜角度θ0 、左側の縦軸は屈折各及び反射角θ、右側の縦軸はセンサ位置におけるずれ量ｄ／ｈである。
【００５５】
Ａは検体液２０から光学部材４２に入射する光の屈折角、Ｂは空気中からから光学部材４２に入射する光の屈折角、ＣはＡとＢの場合のずれ量の差、Ｄは光学部材４２における反射角である。
【００５６】
屈折角θは、光学部材４２の傾斜角θ0 が大きくなるに伴い小さくなる。ずれ量ｄ／ｈは、光学部材４２の傾斜角θ0 が大きくなるに伴い大きくなる。反射角θは、光学部材４２の傾斜角θ0 が大きくなるに伴い小さくなり、傾斜角θ0 が４５度の時は９０度である。
【００５７】
このように本実施形態においても、検体液２０の液面高さを精度良く測定することができる。また、光学部材４２の傾斜角度を４５度にしておくことは、反射光が全て垂直方向になることから望ましい。即ち、光学部材４２で反射した１次反射光は構造体９５方向へ向かうが、構造体９５に対して垂直でない角度で入射する場合、構造体９５での２次反射光は入射光（１次反射光）とは異なる角度で反射される。これは、迷光となって測定に誤差が生じさせるため、望ましくない。傾斜角度が４５度の場合は、２次反射光は１次反射光と逆向きに同じ光線軌跡を辿るため、迷光とはならない。なお、構造体９５の１次反射光が入射する部分は、黒アルマイト加工や黒樹脂を塗布するなどにより低反射加工がされていることが望ましい。
【００５８】
（第６の実施形態）
図１７は、第６の実施形態に係わる検体液の計測装置の要部構成を示す断面図である。なお、図１０と同一部分には同一符号を付して、その詳しい説明は省略する。この装置は、検体液２０の液面高さ及び濃度を測定するものである。
【００５９】
基本的な構成は第３の実施形態と同様であるが、光源５４は、発光波長を切り替えることが可能となっており、例えば励起光６１と励起光６１とは異なる波長の平行光６２とを切り換えて照射可能となっている。光センサ３０は、励起光６１及び平行光６２による照射の波長を共に検出可能となっている。
【００６０】
なお、図中の３１は光センサ３０の画素、３２は画素３１を分離する絶縁体、３３は画素３１を保護するための保護絶縁層、３４は光学フィルタを示している。なお、保護絶縁層３３は画素を集積回路的に制御するための単層又は複数層の配線層を含んでいても良い。光学フィルタ３４は、図１８に示すように、励起光６１よりも波長の長い光を通すものとなっている。即ち、励起光６１対しては透過率が低く、それよりも長い波長に対しては透過率が高くなっている。なお、光学フィルタ３４としては、誘電体の多層膜フィルタ、有機系の吸収フィルタ、及びプラズモンフィルタなどを用いることができる。
【００６１】
従って、光源５４から励起光６１を照射した場合、光センサ３０では励起光６１は殆ど検出されず、蛍光体が発する蛍光が検出される。一方、光源５４から平行光６２を照射した場合、光センサ３０では照射光そのものが検出される。
【００６２】
次に、本実施形態の計測装置を用いた計測方法を、図１９のフローチャートを参照して更に説明する。
【００６３】
まず、既知の濃度の検体液２０に対する検量線を作成する（Ｓ１１）。次いで、容器１０内に検体液２０を一定量だけ滴下することにより、容器１０内に検体液を溜める（Ｓ１２）。ここまでは、図８のフローチャートと同様である。
【００６４】
次いで、光源５４から平行光６２を照射する（Ｓ１３）。そして、光センサ３０の検出信号から液面高さを算出する（Ｓ１４）。即ち、図１２（ａ）に示すようなイメージ像、又は図１２（ｂ）に示すような階調値から検体液２０の液面高さを算出する。
【００６５】
次いで、光源５４から励起光６１を照射し、容器１０内の検体液２０に励起光６１を照射する。この励起光６１の照射により検体液２０中で発生した蛍光を、光センサ３０で検出する。（Ｓ１５）。そして、光センサ３０の検出信号から検体液２０の濃度を算出する（Ｓ１６）。具体的には、光センサ３０で得られる蛍光強度と液面高さに基づき、測定部７０のメモリに記憶された検量線を参照して、検体液２０の濃度を算出し、更に検体液２０の蒸発濃縮前の濃度を算出する。
【００６６】
そして、検体液２０を蒸発濃縮しながら、Ｓ１３〜１６を複数回繰り返す（Ｓ１５）。これにより、濃縮による等価的な感度向上が期待できる。また、濃度が高すぎることで蛍光が弱まる現象（濃度消光）の前に測定を終了することができる。
【００６７】
このように本実施形態においても、検体液２０の液面高さ及び濃度を測定することができる。
【００６８】
（第７の実施形態）
図２０は、第７の実施形態に係わる検体液の計測装置を示す概略構成図である。なお、図１７と同一部分には同一符号を付して、その詳しい説明は省略する。
【００６９】
図１７と同様に、基板１１上に、可視光及び蛍光を検出するための光センサ３０が設けられている。光センサ３０は、画素を２次元的に配置した２次元の光学センサアレイであり、例えば半導体チップとして作製されたＣＭＯＳイメージセンサやＣＣＤイメージセンサである。光センサ３０上に保護絶縁層３３を介して光学フィルタ３４が設けられ、光学フィルタ３４上に検体液を溜めるための容器１００が設けられている。
【００７０】
容器１００は、平坦な底壁部１１０と矩形又は円形の枠状の側壁部１２０を有し、例えばＰＤＭＳ（poly dimethyl siloxane）で形成されている。
【００７１】
底壁部１１０は、検体液に接触する表面（容器の底面）が撥水性を有する透光性の光学部材であり、例えばＨＭＤＳ（hexamethyldisilane）処理等により撥水化されている。底壁部１１０の材料としては、撥水性を有するものが望ましいが、必ずしもＰＤＭＳに限らず、他の成型可能なプラスチック材料、有機材料を用いることが可能である。さらに、その表面をパラキシレン系ポリマーやＳｉＯ2 ，ＴｉＯ2 等の無機材料でコートした構造とすることも可能である。これらの材料で十分な撥水性が得られない場合は、ＨＭＤＳ処理等により表面を撥水化すればよい。
【００７２】
底壁部１１０の表面に１個又は複数個のピニングパターン１３０が設けられている。このピニングパターン１３０は、検体液の局在化に寄与するものであり、微小な突起であっても良いし、親水性を有するものであっても良い。ピニングパターン１３０を複数個設ける場合は、周期的に配置すればよい。
【００７３】
図２１（ａ）は、底壁部１１０の表面の一部に円形又は矩形の微細な凸部１３１を設けた例である。このような凸パターンは検体液を局在化させるためのピニングパターンとして機能する。なお、凸部１３１の幅は例えば１０〜５０μｍ、高さは例えば１〜５μｍとすれば良い。また、凸部１３１の上面にＡｕ等のメタルパターンを形成することにより親水化をはかっても良い。
【００７４】
図２１（ｂ）は、底壁部１１０の表面の一部を円形又は矩形にプラズマで処理することにより親水化した例である。親水部１３２は、検体液を局在化させるためのピニングパターンとして機能する。また、プラズマ処理する代わりに、Ａｕ等のメタルパターンを形成することによっても親水部１３２を作製することができる。
【００７５】
プラズマ処理で親水化する場合は、撥水面上にレジストを塗布し、親水部を形成する部分でレジストを除去する。続いて、プラズマに晒した後に、レジストを剥離する。また、メタルパターンを形成する場合は、リフトオフ法により、撥水面上の親水部を形成すべき部分にメタル膜を成膜できる。或いは、撥水面上にメタル膜を成膜した後、親水部を形成すべき部分にレジストパターンを残すように形成し、レジストパターンをマスクにメタル膜をエッチングで除去する。その後、レジストを剥離する。
【００７６】
なお、底壁部１１０の表面を撥水化するために、図２２に示すように、ＰＤＭＳの底壁部の表面に周期的凹凸による撥水面を設けても良い。具体的には、直径１００〜２００ｎｍφ、高さ３００〜５００ｎｍのＰＤＭＳ微細柱１１５を２００〜４００ｎｍピッチで周期的に配列することにより、１５０度を超える接触角の超撥水面を得ることができる。
【００７７】
また、このような周期的凹凸を利用した構造において、図２３（ａ）に示すように、一部に微細柱のない領域１３５を設けることにより、撥水面の一部にピニングパターンを設けた構造を得ることができる。さらに、図２３（ｂ）に示すように、一部の微細柱１１５を他よりも高く形成することにより、撥水面の一部に突起１３６を設けた構造を得ることができる。このような構成であっても、前記図２１（ａ）（ｂ）と同様に、撥水面の一部にピニングパターンを設けた構成を実現することができる。
【００７８】
光源５４は、第６の実施形態と同様に発光波長を切り替えることが可能となっており、例えば励起光６１と励起光６１とは異なる波長の平行光（例えば、可視光）６２とを切り換えて照射可能となっている。光センサ３０は、励起光６１及び平行光６２による照射の波長を共に検出可能となっている。
【００７９】
このような構成において、容器１００内に検体液２０を滴下した後、検体液２０を蒸発させると、検体液２０は濃縮されてピニングパターン１３０に局在化する。即ち、ピニングパターン１３０に検体液２０の液滴２１が発生する。
【００８０】
ピニングパターン１３０に微小な液滴２１が局在化している状態で平行光６２を照射すると、図２４に示すように、液滴２１の界面で光が屈折する。このため、センサ面上の２次元的な位置により光の強度が異なってくる。
【００８１】
即ち、図２５に示すように、光センサ３０の中央部３０ａが非常に明るく、その周りが暗い領域３０ｂとなり、更にその外側が明るい領域３０ｃとなる、リング状の光学像が得られる。ここで、暗い領域３０ｂの幅（ドーナツ幅）Ｌは、液滴２１の体積によって変化する。
【００８２】
具体的には、図２６（ａ）〜（ｃ）に示すように、蒸発濃縮により液滴２１の体積が小さくなるに伴いドーナツ幅Ｌは減少し、液滴２１の体積が一定以下になるとドーナツ幅Ｌは消失する。従って、ドーナツ幅Ｌから液滴２１の体積（液量）を測定することが可能となる。即ち、リング状の光学像を、液滴の体積に関する光学モデルを用いて解析することで液滴２１の体積を測定することができる。さらに、液滴２１の体積は液滴２１の高さに比例することから、液滴２１の高さを測定することも可能となる。
【００８３】
ここで、ドーナツ幅Ｌから液滴２１の体積を測定するためには、容器１００の底面とセンサ面との距離が重要である。距離が余りに近すぎると、体積変化に対するドーナツ幅Ｌの変化が小さくなり、精度良い測定ができなくなる。これとは逆に、距離が遠すぎると、前記図２６（ｃ）のようにドーナツが消失してしまい、測定ができなくなる。従って、精度良い測定ができる範囲で、光学部材（底壁部１１０）、絶縁層３３、及びフィルタ３４のトータル厚みを十分に薄くする必要がある。
【００８４】
なお、液滴が完全に蒸発しきって検体が析出した後の検体液の形状は液滴２１のような球欠状とならず、光学解析からの方法で体積が測定できないことがある。この場合は、次のような手法での体積見積もりが可能である。
【００８５】
まず、リファレンスサンプルを作製し、その蛍光量と体積を求める。具体的には、測定対象の検体液と同じ液体（リファレンスサンプルとしての検体液）を、蒸発後も球欠状になる程度に多めに底壁部１１０上に滴下し、蒸発させて検体液を球欠状に析出させる。次いで、この球欠状に析出した検体液の体積Ｖ０と蛍光量Ｐ０を測定する。体積Ｖ０は、別途測定装置を用いて検体液の形状、又は質量（と密度）から求め、蛍光量Ｐ０は光センサ３０により求める。
【００８６】
次いで、本サンプル、即ち測定対象の検体液の蛍光量の測定を行い、リファレンスサンプルの結果と比較することで、蒸発後の体積を求める。具体的には、測定対象の検体液を一定量だけ低壁部１１０上に滴下した後、蒸発、析出させる。このときの蛍光量Ｐ２を、光センサ３０で測定する。析出後の検体液の体積Ｖ２は、Ｖ２＝Ｐ２／Ｐ０×Ｖ０から求めることができる。リファレンスサンプルと本サンプルの測定は、同一の計測装置を用いて行ってもよいし、別の計測装置を用いてもよい。
【００８７】
また、本実施形態においても第６の実施形態と同様に、励起光６１を照射し、光センサ３０で液滴２１からの蛍光を検出することにより、液滴２１の濃度を検出することが可能となる。
【００８８】
このように本実施形態では、平行光６２の照射により液滴２１の体積（液量）を測定することができ、励起光６１の照射により液滴２１の濃度を測定することができる。そしてこの場合、撥水性の表面の一部に凸部や親水部等のピニングパターン１３０を設けているため、ピニングパターン１３０に液滴２１を確実に局在化させることができる。従って、検査の確実性と共に検査精度の向上をはかることができる。
【００８９】
しかも、検体液２０を局在化させるために複雑な加工を要せず、撥水面の一部に凸部や親水部を設けるのみの構成で実現できる利点もある。
【００９０】
図２７は、本実施形態の計測装置の製造工程を示す断面図である。  
まず、基板１１上に光学フィルタ３４まで形成しておく。即ち、基板１１上に光センサ３０を形成し、その上に保護絶縁層３３及び光学フィルタ３４を形成しておく（図２７（ａ））。
【００９１】
一方、容器１００のパターン及びピニングパターン１３０の凹部を有するモールド治具２００を用意する。具体的には、容器１００の底壁部１１０に対応する凹部１１０ａ、側壁部１２０に対応する凹部１２０ａ、及びピニングパターン１３０に対応する凹部１３０ａが形成されたモールド治具２００を用意する（図２７（ｂ））。
【００９２】
そして、モールド治具２００の凹部にＰＤＭＳ１５０を滴下し、凹部内にＰＤＭＳ１５０を充填する。続いて、加熱等によりＰＤＭＳ１５０を硬化させる。これにより、ＰＤＭＳからなる容器１００が作製される（図２７（ｃ））。
【００９３】
次いで、ＰＤＭＳによる容器１００が形成されたモールド治具２００を、凹部を下にして基板１１上の光学フィルタ３４に接着する（図２７（ｄ））。
【００９４】
その後、容器１００からモールド治具２００を剥離することにより、前記図２０に示すような計測装置が完成することになる。
【００９５】
（変形例）
なお、本発明は上述した各実施形態に限定されるものではない。
【００９６】
容器内に設ける光学部材の材料は、仕様に応じて適宜変更可能である。第１及び第２の実施形態の場合は、透光性であればよい。第３乃至第６の実施形態の場合は、透光性で、且つ検体液と異なる屈折率であれば良い。
【００９７】
光センサは、その基板を必ずしも容器の底壁とするのではなく、透明材料で形成された底壁を有する容器の場合、容器の外側で容器の底壁の下面に接するように設置しても良い。この場合、容器の底壁と光学部材の屈折率が同じであるのが望ましい。
【００９８】
光センサは、必ずしもアレイセンサのように２次元センサに限らず、ラインセンサのような１次元センサであっても良い。
【００９９】
また、検体液中の特定物質が蛍光体ではなく発光体である場合、励起のための光源は省略することも可能である。この場合、光センサは検体液中の特定物質からの発光を検出できるものであれば良い。
【０１００】
第４及び第６の実施形態は、主として垂直方向から照明を行う構成について述べており、第５の実施形態は、主として水平方向から照明を行う構成について述べているが、当然のことながら斜め方向から照明を行うことによっても第４乃至第６の実施形態と同様の手続きによって同様の効果を得ることができる。従って、光源、光学部材、及び光センサの位置関係は、実施形態での角度に限定されずに適宜変更可能である。
【０１０１】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１０２】
（付記）
（１）検体液に接触する傾斜面を持つ透光性の光学部分を有し、検体液を溜めるための容器と、容器の底部に設けられ、検体液からの光を検出する光センサと、光センサの検出信号に基づいて検体液中に含まれる特定物質の濃度、又は検体液の液面高さ若しくは液量を測定する測定部と、を具備したことを特徴とする検体液の計測装置。
【０１０３】
（1-2）容器の上方に設けられ、容器内の検体液に光を照射する光源を、更に有する。
【０１０４】
（1-3）光学部材は、内周面に上側に広がった傾斜面を有するリング形状である。
【０１０５】
（1-4）光センサは、検体液からの蛍光を検出する。
【０１０６】
（1-5）測定部は、光センサの検出信号の強度から検体液中に含まれる特定物質の濃度を算出する。
【０１０７】
（1-6）測定部は、光センサの検出信号のプロファイルから検体液の液面高さ又は液量を算出する。
【０１０８】
（1-7）測定部は、光センサの検出信号のプロファイルから検体液の液面高さを求め、光センサの検出信号強度と検体液の液面高さ又は液量との関係から、検体液中に含まれる特定物質の濃度を測定する。
【０１０９】
（1-8）測定部は、検体液の液面高さと光センサの検出信号強度との関係を求め、検出信号強度が最大となる液面高さ付近で、光センサの検出信号に基づいて測定を行う。
【０１１０】
（1-9）容器の上方に、気体を導入するための吸気機構と、気体を排出するための排気機構と、を更に有する。
【０１１１】
（1-10）光学部材は、直角三角形の三角柱の形状であり、互いに垂直な２つの側面が容器の底面及び側面に接し、残りの１つの側面が検体液に接するように設けられている。
【０１１２】
（1-11）光学部材は、検体液の屈折率と異なる屈折率を有する。
【０１１３】
（1-12）容器内の検体液に垂直方向又は水平方向から光を全面照射し、光センサの検出信号の階調値から検体液の液面高さを測定する。
【０１１４】
（1-13）容器内の検体液に垂直方向又は水平方向から光をスポット照射し、光センサで得られるスポット像の形から検体液の液面高さを測定する。
【０１１５】
（２）検体液を溜めるための容器と、前記容器の一部として設けられ、内周面に上側に広がった傾斜面を有するリング形状であり、前記内周面が前記検体液に接触する透光性の光学部材と、前記容器の上方に設けられ、前記容器内の前記検体液中に蛍光発生のための励起光を照射する光源と、前記容器の底部に設けられ、前記容器内の前記検体液中からの蛍光を検出する蛍光センサと、前記蛍光センサの検出信号に基づいて前記検体液中の特定物質の濃度を測定する測定部と、を具備したことを特徴とする検体液の計測装置。
【０１１６】
（2-1）測定部は、光センサの検出信号のプロファイルから検体液の液面高さを求め、光センサの検出信号強度と検体液の液面高さとの関係から、検体液中に含まれる特定物質の濃度を測定する。
【０１１７】
（2-2）容器の上方に、気体を導入するための吸気機構と、前記気体を排出するための排気機構と、を更に有する。
【０１１８】
（３）検体液を溜めるための容器と、前記容器内の側部に設けられ、屈折率が前記検体液とは異なる透光性材料からなり、前記容器の底面と成す角度が９０度よりも小さく、前記検体液に接触する傾斜面を有する光学部材と、前記容器内に光を照射する光源と、前記容器の底部に設けられ、前記検体液からの光を検出する光センサと、前記光センサの検出信号に基づいて前記検体液の液面高さを測定する測定部と、を具備したことを特徴とする検体液の計測装置。
【０１１９】
（3-1）光学部材は、直角三角形の三角柱の形状であり、互いに垂直な２角側面が容器の底面及び側面に接し、残りの１つの側面が前記検体液に接するように設けられている。
【０１２０】
（3-2）光源は、単一波長の平行光を全面照射するものであり、光センサの検出信号の階調値から検体液の液面高さを測定する。
【０１２１】
（3-3）光源は、単一波長の平行光をスポット照射するものであり、光センサで得られるスポット像の形から検体液の液面高さを測定する。
【０１２２】
（４）検体液を溜めるための容器と、前記容器の底部として設けられ、前記検体液と接触する面が撥水性であり、且つ前記撥水性の面の中に１個若しくは複数個の凸部又は親水部を有する透光性の光学部材と、前記容器の底部の前記検体液に接する面と所定距離離して設けられ、前記検体液からの光を検出する光センサと、前記光センサの検出信号に基づいて、前記凸部又は親水部に局在化する前記検体液の体積を測定する測定部と、を具備したことを特徴とする検体液の計測装置。
【０１２３】
（4-2）前記容器内に前記検体液を溜め、前記容器内の前記検体液を蒸発させ、前記検体液を前記凸部又は前記親水部上に液滴として局在化させ、前記検体液の局在化後に、前記容器の上方からの光を照射によって前記光センサで得られるリング状の光学像を前記測定部で測定し、前記リング状の光学像を、前記液滴の体積に関する光学モデルを用いて解析することで前記液滴の体積を測定する、ことを特徴とする検体液の計測方法。
【０１２４】
（５）容器内の検体液に光を照射し、前記検体液の界面で屈折した光を前記容器の下方で光センサにより検出し、前記光センサの検出信号から前記検体液の液面高さ、液量、又は前記検体液中に含まれる特定物質の濃度を測定することを特徴とする検体液の計測方法。
【符号の説明】
【０１２５】
１０…検査容器
１１…基板
１２…側壁
２０…検体液
２１…液滴
３０…光センサ
４１，４２…光学部材
５１，５２，５３，５４…光源
６１…入射光（励起光）
６２…入射光（平行光）
６３…入射光（スポット光）
６５，６６…スポット像
７０…測定部
８１…第１のノズル（吸気機構）
８２…第２のノズル（排気機構）
９０…計測用チャンバ
９５…構造体
１００…容器
１１０…底壁部
１２０…側壁部
１３０…ピニングパターン
１３１…凸部
１３２…親水部
２００…モールド治具
【図１】
2018048994.tif 000003
【図２】
2018048994.tif 000004
【図３】
2018048994.tif 000005
【図４】
2018048994.tif 000006
【図５】
2018048994.tif 000007
【図６】
2018048994.tif 000008
【図７】
2018048994.tif 000009
【図８】
2018048994.tif 000010
【図９】
2018048994.tif 000011
【図１０】
2018048994.tif 000012
【図１１】
2018048994.tif 000013
【図１２】
2018048994.tif 000014
【図１３】
2018048994.tif 000015
【図１４】
2018048994.tif 000016
【図１５】
2018048994.tif 000017
【図１６】
2018048994.tif 000018
【図１７】
2018048994.tif 000019
【図１８】
2018048994.tif 000020
【図１９】
2018048994.tif 000021
【図２０】
2018048994.tif 000022
【図２１】
2018048994.tif 000023
【図２２】
2018048994.tif 000024
【図２３】
2018048994.tif 000025
【図２４】
2018048994.tif 000026
【図２５】
2018048994.tif 000027
【図２６】
2018048994.tif 000028
【図２７】
2018048994.tif 000029
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
検体液に接触する傾斜面を持つ透光性の光学部分を有し、前記検体液を溜めるための容器と、
前記容器の底部に設けられ、前記検体液からの光の強度のプロファイルを検出する光センサと、
前記光センサの検出信号の強度のプロファイルに基づいて前記検体液の液面高さを測定する測定部と、
を具備し、前記光学部分の前記傾斜面の下端は前記光センサの内側に配置されていることを特徴とする検体液の計測装置。
【請求項２】
前記容器の上方に設けられ、前記容器内の前記検体液に光を照射する光源を、更に有することを特徴とする、請求項１記載の検体液の計測装置。
【請求項３】
前記光学部分は、内周面に上側に広がった前記傾斜面を有するリング形状であることを特徴とする、請求項１又は２に記載の検体液の計測装置。
【請求項４】
前記光センサは、前記検体液からの蛍光を検出することを特徴とする、請求項１乃至３の何れかに記載の検体液の計測装置。
【請求項５】
前記測定部は、前記検体液中に含まれる特定物質の濃度又は前記検体液の液量を更に測定することを特徴とする請求項１乃至４のいずれかに記載の検体液の計測装置。
【請求項６】
前記測定部は、前記光センサの検出信号の強度から前記検体液中に含まれる特定物質の濃度を算出する、又は前記光センサの検出信号のプロファイルから前記検体液の液量を求めることを特徴とする、請求項５に記載の検体液の計測装置。
【請求項７】
前記測定部は、前記光センサの検出信号強度と前記検体液の液面高さ又は液量との関係から、前記検体液中に含まれる特定物質の濃度を測定することを特徴とする、請求項５に記載の検体液の計測装置。
【請求項８】
前記測定部は、前記光センサの検出信号の強度のプロファイルの周囲部の値に基づいて前記検体液の液面高さを測定する請求項１に記載の検体液の計測装置。
【請求項９】
検体液を溜めるための容器と、
前記容器内の側部に設けられ、屈折率が前記検体液とは異なる透光性材料からなり、前記容器の底面と成す角度が９０度よりも小さく、前記検体液に接触する傾斜面を有する光学部材と、
前記容器内に光を照射する光源と、
前記容器の底部に設けられ、前記検体液からの光の強度のプロファイルを検出する光センサと、
前記光センサの検出信号の強度のプロファイルに基づいて前記検体液の液面高さを測定する測定部と、
を具備し、前記光学部分の前記傾斜面の下端は前記光センサの内側に配置されていることを特徴とする検体液の計測装置。
【請求項１０】
前記測定部は、前記光センサの検出信号の強度のプロファイルの最小値となる箇所に基づいて前記検体液の液面高さを測定する請求項９に記載の検体液の計測装置。
【手続補正２】
【補正対象書類名】明細書
【補正対象項目名】０００５
【補正方法】変更
【補正の内容】
【０００５】
実施形態の検体液の計測装置は、検体液に接触する傾斜面を持つ透光性の光学部分を有し、前記検体液を溜めるための容器と、前記容器の底部に設けられ、前記検体液からの光の強度のプロファイルを検出する光センサと、前記光センサの検出信号の強度のプロファイルに基づいて前記検体液の液面高さを測定する測定部と、を具備している。前記光学部分の前記傾斜面の下端は前記光センサの内側に配置されている。